(57)【特許請求の範囲】
【請求項１】
円環の一部を切り欠いた平面形状を有する本体と、
該本体の第１の切り欠き端部において、略半径方向に所定間隔離間して配置された第１内側結合部材及び第１外側結合部材と、
該本体の第２の切り欠き端部において、略半径方向に前記所定間隔離間して配置された、前記第１内側結合部材及び第１外側結合部材と係合する第２内側結合部材及び第２外側結合部材と、
該本体の第２の切り欠き端部において、前記第２内側結合部材から該本体の半径方向と角を成す方向に前記所定間隔離間して配置された、前記第１外側結合部材と係合する少なくとも１つの第２外側結合部材とを備えるよだれかけ。
【請求項２】
前記本体部の少なくとも外周縁部がヘム巻きされていることを特徴とする請求項１に記載のよだれかけ。
【請求項３】
前記第１内側結合部材と前記第２内側結合部材とは互いに雌雄嵌合するホック部材であり、
前記第１外側結合部材と前記第２外側結合部材とは互いに雌雄嵌合するホック部材であることを特徴とする請求項１又は２に記載のよだれかけ。
【請求項４】
前記本体の内周と外周の間の半径方向幅は略一定に構成された請求項１から３のいずれか１項に記載のよだれかけ。
【請求項５】
前記本体の切り欠き端部から円周方向に離れた部分における半径方向幅が、同本体の切り欠き端部付近における半径方向幅よりも広いことを特徴とする請求項１から３のいずれか１項に記載のよだれかけ。
【発明の詳細な説明】
【技術分野】
【０００１】
本発明はよだれかけに関する。詳しくは、例えば、溢乳についても充分に対応することができる乳幼児等の使用に最適なよだれかけに係るものである。
【背景技術】
【０００２】
乳幼児のよだれや溢乳で体や衣服、床などを汚さないようにするため、着衣としてよだれかけが使用される。
【０００３】
従来のよだれかけは、首の裏側で結ばれる結び紐で、胸当て部が乳幼児の前方に位置するように吊り下げて使用される。このため、紐の結び方が緩いと、胸当て部が移動しやすく、汚れから使用者の体や衣服を適当に保護できない場合があった。
【０００４】
また、紐をきつく結ぶことで胸当て部を固定した場合、きゅうくつになって使用者が嫌がることも考えられる。
【０００５】
ここで、使用中に胸当て部の位置が移動せず、使用者がきゅうくつになることなく、着脱が容易なよだれかけが提案されている（例えば、特許文献１参照）。
【０００６】
特許文献１には、図７に示すような、よだれかけ１００が記載されている。本体は、ほぼＵ字状の首当て部１０１が形成された胸当て部材１０２で構成される。また、着衣の内部へ挿入される位置ずれ防止片１０３と、一対の肩掛け用ゴム紐１０４を有する。位置ずれ防止片１０３を着衣の襟元で折り曲げ、一対の肩掛け用ゴム紐内へ両腕を通すことで肩掛け状態となり、よだれかけ１００の移動を阻止する。
【先行技術文献】
【特許文献】
【０００７】
【特許文献１】特開２０１０−１８９７８６号公報
【発明の概要】
【発明が解決しようとする課題】
【０００８】
しかしながら、従来のよだれかけの形状では、使用者の衣服を覆う部分が限られ、汚れから体や衣服を充分に保護することができないことがある。また、乳幼児が寝たままの状態で使用したときは、よだれや溢乳で吐き戻したものが首を伝わって流れ、頭部や背面、布団などが汚れてしまう場合もある。
【０００９】
なお、溢乳については、長期間に渡って頻繁に起こるものであり（通常は生後３日目頃から、個人差はあるが、毎日１０回程度起こる。１歳になるまで続くことも珍しくない。）、また、衣服や布団などに母乳やミルクが付着するとその汚れを落とすことが極めて困難であるため、特に、溢乳に充分に対応することができるよだれかけが強く求められている。
【００１０】
本発明は、以上の点に鑑み創案されたものであり、よだれや溢乳で吐き戻したものなどの汚れから、体や衣服を充分に保護することができるよだれかけを提供することを目的とする。
【課題を解決するための手段】
【００１１】
上記の目的を達成するために、本発明のよだれかけは、切れ目が形成された略ドーナツ型の形状で、内周と外周の間が所定の長さ以上に構成された本体と、該本体の切れ目を挟んで対向する両側に配置されると共に、同両側のうち少なくとも一方に、前記本体の外周側に複数設けられた結合部材とを備える。
【００１２】
ここで、切れ目が形成された略ドーナツ型の形状を有することによって、よだれかけの本体が、使用者の首を中心に体の全方位を覆うことになり、よだれや溢乳で吐き戻したものから衣服を保護する。
【００１３】
また、内周と外周の間が所定の長さ以上に構成された本体を備えることによって、首回りの部分だけでなく、胸や背中の部分まで充分に覆われることになる。また、使用者が寝た姿勢の状態でも、頭部周辺の領域まで、よだれかけ本体に覆われることになる。
【００１４】
また、本体の切れ目を挟んで対向する両側に配置される結合部材を備えることによって、切れ目側の端部を繋ぎ合わせることが可能となり、使用者の全方位を隙間なく本体が覆うことになる。
【００１５】
さらに、本体の切れ目を挟んで対向する両側に配置されると共に、両側のうち少なくとも一方に、本体の外周側に複数設けられた結合部材を備えることによって、本体の外周の径の長さが変更可能となり、使用者の姿勢に応じてよだれかけの形状を変えることができる。
【００１６】
また、本体の切れ目を挟んで対向する両側の内周近傍に配置された第１の雌雄型ホック部と、前記本体の切れ目を挟んで対向する両側の外周近傍に配置されると共に、同本体の外周側に複数設けられた第２の雌雄型ホック部を有し、本体の切れ目を挟んで対向する両側のうち、一方側に配置された第１の雌雄型ホック部と第２の雌雄型ホック部の間の距離が、本体の切れ目を挟んで対向する両側のうち、他方側に配置された第１の雌雄型ホック部と第２の雌雄型ホック部の間の距離と略同じである場合には、内周と外周の両方で本体を固定することができる。つまり、使用者の体を隙間なく覆った状態を、より確実に保つことになる。また、本体の外周の径の長さが変更可能となり、使用者の姿勢に応じてよだれかけの形状を変えることができる。
【００１７】
本体の切れ目を挟んで対向する両側のうち、一方側に配置された第１の雌雄型ホック部と第２の雌雄型ホック部の間の距離が、本体の切れ目を挟んで対向する両側のうち、他方側に配置された第１の雌雄型ホック部と第２の雌雄型ホック部の間の距離と略同じである場合には、ホックを留めたときに、本体にずれが生じず、しわができにくくなる。即ち、装着時に、よだれかけ本体と使用者の体の間における空間の形成が抑えられ、隙間なく体を覆うことになる。
【００１８】
また、本体の切れ目を挟んで対向する両側の内周近傍に配置された第１の雌雄型ホック部と、前記本体の切れ目を挟んで対向する両側の外周近傍に配置されると共に、同本体の外周側に複数設けられた第２の雌雄型ホック部とを有する場合には、内周と外周の両方で本体を固定することができる。つまり、使用者の体を隙間なく覆った状態を、より確実に保つことになる。また、本体の外周の径の長さが変更可能となり、使用者の姿勢に応じてよだれかけの形状を変えることができる。
【００１９】
ここで、本体の内周と外周の間の幅が一定となる様に構成した場合には、装着の向きを考慮する必要が無いといった利便性を高めることができる。このことは、前方、後方、側方といったあらゆる方位で区別無く溢乳等に対応することができると共に、本体を回転した場合であっても同様の使用感を実現することができることを意味する。
一方で、前記本体の切れ目側と逆側面における内周と外周の間の幅が、同本体の切れ目側における内周と外周の間の幅よりも長い場合には、一般的に切れ目を後方とすることが多いと考えられる。切れ目を後方に装着した場合に、使用者の前方のよだれや溢乳で吐き戻したものがかかりやすい部分を幅広く覆うことができる。
【００２０】
さらに、本体がガーゼ部とガーゼ部に内包された脱脂綿部とを有する場合には、よだれかけ本体の吸水性と速乾性に優れ、汚れを吸収しやすくなる。即ち、水分を含む汚れが付いた場合にも、汚れは素早く吸収されることになり、よだれかけ本体の表面を伝って広がりにくくなる。
【００２１】
また、上記の目的を達成するために、本発明のよだれかけは、切れ目が形成された略ドーナツ型の形状で、内周と外周の間が所定の長さ以上に構成された本体と、本体の外周が調節可能な結合部材とを備える。
【００２２】
ここで、本体の外周が調節可能な結合部材を備えることによって、よだれかけを使用者の姿勢に応じた形状に変えることができる。
【発明の効果】
【００２３】
本発明に係るよだれかけは、よだれや溢乳で吐き戻したものなどの汚れから、体や衣服を充分に保護することができる。
【図面の簡単な説明】
【００２４】
【図１】本発明を適用したよだれかけの一例を示す概略図である。
【図２】図１のよだれかけを装着した場合の概略正面図である。
【図３】図２の概略背面図である。
【図４】使用者が寝た姿勢で図１のよだれかけを装着した場合（ａ）と従来の形状のよだれかけを装着した場合（ｂ）の概略側面図である。
【図５】図１のよだれかけの外周を立ち上げて使用した場合の概略側面図である。
【図６】本発明を適用したよだれかけの一例の内部構造を示した図である。
【図７】従来のよだれかけの形状を示す概略図である。
【発明を実施するための形態】
【００２５】
以下、本発明の実施の形態について図面を参照しながら説明し、本発明の理解に供する。図１は、本発明を適用したよだれかけの一例を示す概略図である。図２は、図１のよだれかけを装着した場合の概略正面図である。図３は、図２の概略背面図である。図６は、本発明を適用したよだれかけの一例の内部構造を示した図である。
【００２６】
図１に示すように、本発明を適用したよだれかけの一例であるよだれかけ１は、切れ目１５が形成された略ドーナツ型の形状の本体２を有する。本体２の切れ目１５側における内周と外周の間３の長さは、乳幼児の肩から上腕部にかけて覆うことのできる長さ以上に構成されている。また、本体２の外縁１１は、ヘム巻仕上げがされている。
【００２７】
また、本体２には、切れ目１５を挟んで対向する両側に、雌雄型ホック４〜９が配置されている。なお、雌雄型ホック４〜９は本体２を貫通しており、雌型ホック４、８は、本体２の裏面側に結合部が設けられている。また、雄型ホック５〜７および９は、本体２の表面側に結合部が設けられている。
【００２８】
また、本体２の切れ目１５の外周側の一方に、外周の雌型ホック４が配置され、他方の外周側に外周の雄型ホック５〜７が配置されている。また、本体２の切れ目１５の内周側には、一方に内周の雌型ホック８を、他方に内周の雄型ホック９が配置されている。つまり、本体２の切れ目１５を挟んで、雌型ホック４と雌型ホック８が同じ側に配置されており、その逆側に雄型ホック５〜７と雄型ホック９が配置されている。なお、雌型ホック４の裏面と雄型ホック５〜７のいずれかの表面がくっつき、雌型ホック８の裏面と雄型ホック９の表面がくっつくことになる。
【００２９】
さらに、雌型ホック４，８の間の距離Ｌ１は、雄型ホック５，９の間の距離Ｌ２と等しくなるように形成されている。雄型ホック６，９の間の距離Ｌ３及び雄型ホック７，９の間の距離Ｌ４も、雌型ホック４，８の間の距離Ｌ１と等しくなるように形成されている。また、各雌雄型のホック５〜９はプラスチックで形成されている。
【００３０】
ここで、本体２の切れ目１５側における内周と外周の間３の長さは、使用者の体や衣服を充分に覆うことができればよく、上記構成に限定されるものではない。
【００３１】
また、本体２の外縁１１は必ずしもヘム巻仕上げがなされる必要はないが、本体２の生地裁断部分のほつれが抑制される点から、ヘム巻仕上げがなされる方が好ましい。また、本体２の耐久性があがることも期待される。
【００３２】
また、雌雄型ホックは、本体２の切れ目１５を挟んで対向する両側のどちらか一方の外周側に複数設けられていればよく、雌雄のホックの組み合わせや設ける数が限定されるものではない。
【００３３】
また、本体２の外周の径の長さが変更可能であれば充分であり、必ずしも本体２の内周側に雌雄型ホック部が設けられる必要はない。但し、内周と外周の両方で本体２を固定することで、使用者の体を隙間なく覆った状態をより確実に保つことができる点から、上記構成にすることが好ましい。
【００３４】
また、雌型ホック４，８の間の距離Ｌ１、雄型ホック５，９の距離Ｌ２、雄型ホック６，９の間の距離Ｌ３、そして雄型ホック７，９の間の距離Ｌ４は、必ずしも等しくなるように形成される必要はない。但し、ホックを留めたときに本体にしわができにくく、使用者の体を隙間なく覆える点から、上記構成にすることが好ましい。
【００３５】
また、雌雄型ホック４〜９の素材は限定されるものではないが、乳幼児が誤って舐めた場合の安全性や、ホックが柔らかく、装着時に痛くないという点から、雌雄型ホック４〜９はプラスチックで形成されることが好ましい。また、装着時にホックが肌に触れても冷たく感じないという点からも、上記構成にすることが好ましい。
【００３６】
図１に示すように、本体の切れ目１５側と逆側面における内周と外周の間１０の幅が、同本体の切れ目１５側における内周と外周の間３の幅よりも長くなっている。
【００３７】
ここで、必ずしも本体の切れ目１５側と逆側面における内周と外周の間１０の幅がより長くなっている必要はなく、幅の長さが限定されるものではない。しかし、一般的に切れ目１５を後方にして装着することが多いと考えられる。上記の様な構成にして、切れ目１５を後方にして装着した場合は、使用者の前方へのよだれや溢乳で吐き戻したものがかかりやすい部分を幅広く覆うことができる点で好ましい。
ただし、本体２を装着した状態で回転させる場合を考慮し、回転の度合いによらず同様の使用感を保つといった観点を重視する場合には、本体２の内周と外周の間の幅は均一である方が望ましい。
【００３８】
図６に示すように、本体２はガーゼ部１２とガーゼ部に内包された脱脂綿部１３から形成されている。
【００３９】
ここで、本体２はガーゼ部１２と脱脂綿部１３で形成されたものに限定されるわけではない。但し、よだれかけ１が吸水性と速乾性に優れる点からは、ガーゼ部１２と脱脂綿部１３で形成されることが好ましい。
【００４０】
以下、上記の様に構成されたよだれかけ１を装着させた使用例について図面を参照しながら説明する。図４は、使用者が寝た姿勢で図１のよだれかけを装着した場合（ａ）と従来の形状のよだれかけを装着した場合（ｂ）の概略側面図である。図５は、図１のよだれかけの外周を立ち上げて使用した場合の概略側面図である。図６は、本発明を適用したよだれかけの一例の内部構造を示した図である。
【００４１】
なお、乳幼児は、本発明を適用したよだれかけの使用者の一例であって、使用者は乳幼児に限定されるものではない。本体２の大きさを変えることで、新生児から幼児にかけてだけでなく、要介護者や老人等が使用するよだれかけとしても、本発明は適用することが可能である。
【００４２】
まず、座った状態の乳幼児によだれかけ１を装着させた実施形態１を示す。よだれかけ１は、図２および図３に示すように、乳幼児の背中側で、内周の雌型ホック８と内周の雄型ホック９、外周の雌型ホック４と外周の第１の雄型ホック５で係止されている。内周と外周の両方で固定され、隙間なく、乳幼児の首を中心に全方位を覆うことができる。
【００４３】
また、よだれや溢乳で吐き戻したもので、よだれかけ１の一部が汚れた場合にも、汚れていない領域で乳幼児の口元や首をふくことができる。さらに、よだれかけ１を回転させ、汚れやすい前面部に汚れていない領域を持ってくることで、すぐに取り外すことなく使用できる。
【００４４】
また、本体２はガーゼ部１２と脱脂綿部１３で形成され、吸水性に優れるので、水分を含む汚れは本体２の上で広がりにくい。また本体２は素早く乾くため、菌の繁殖なども抑制でき、安全性にも優れている。
【００４５】
次に、別の実施形態として、乳幼児が寝た状態で、本発明を適用したよだれかかけ１を装着した場合の実施形態２を図４（ａ）に示す。ここで、よだれかけ１は、本体２の外周と内周の長さが乳幼児の上半身以上になるように形成されている。
【００４６】
図４（ａ）で示すように、よだれかけ１は乳幼児の頭部後方まで覆うことができている。溢乳で吐き戻したもの１４が口元から首を伝って流れても、肩や布団を保護することができる。溢乳で吐き戻したもの１４や嘔吐物が勢いよく出た場合にも、上半身の衣服や布団をよだれかけ１が保護する。
【００４７】
一方、乳幼児が寝た状態で、従来の形状のよだれかけを装着した場合を、実施形態２の比較例として、図４（ｂ）に示す。よだれかけが保護できる部分は、乳幼児の胸部分の周辺領域のみに限定される。寝た状態で乳幼児が溢乳や嘔吐した場合、溢乳で吐き戻したもの１４や嘔吐物が首を伝って流れ、頭部や肩、そして布団も汚れてしまうおそれがある。
【００４８】
このように、使用者が寝た状態で使用する実施形態２の別の例として、ウイルス性腸炎などの嘔吐を伴う病気に感染した乳幼児への装着が考えられる。嘔吐物による汚れから、乳幼児の体や衣服を保護し、衣服やシーツの洗濯回数が減らせることから、看病を行う人の負担を減らすことも期待できる。
【００４９】
さらに別の実施形態３として、よだれかけ１の外周を短くして、漏斗状に立ち上げた形状での使用を図５に示す。本体２の外周側に設けられた外周の雄型ホック５〜７の留めるホックを、外周の第１の雄型ホック５から、外周の雄型ホック６，７へと変えることで、本体２の外周が短くなる。これにより、よだれかけ１を漏斗状の形状にすることができる。この形状では、乳幼児のよだれや溢乳で吐き戻したものに対して、よだれかけ１が受け皿となり、衣服や床などを保護しやすくなる。
【００５０】
また、実施形態３の一例としては、食事時の使用も想定される。特に、離乳食を食べ始めたばかりの幼児で、食べこぼしが多い場合でも、よだれかけ１が受け皿となるので、通常の使用形態よりも、前面への汚れを受け止めやすい。本体２の汚れていない部分は手拭や口拭きとしても使用できる。取り外したよだれかけは、吸水性に優れた素材で作られているので、本体２の汚れていない部分を台拭きとして使用することもできる。
【００５１】
また、実施形態３の他の例として、這い歩きで移動する乳幼児によだれかけ１を装着させた場合も考えられる。よだれかけ１の外周が立ち上がった形状は、乳幼児の前方へのよだれや溢乳で吐き戻したものを受け止めやすい。
【００５２】
上記の実施形態の他、本発明を適用したよだれかけ１の使用が想定される場面を以下に示していく。
【００５３】
まず、よだれかけ１を装着した乳幼児を抱っこする場面を実施形態４として示す。乳幼児を寝かせた状態で抱く場合は、乳幼児の首や頭部の汗と、抱いた側の人間の腕の汗で、乳幼児が滑りやすくなることがある。しかし、よだれかけ１を装着していれば、首や頭部と腕の間の汗を吸収し、滑りにくくなる。
【００５４】
また、乳幼児を縦抱きで抱っこした場合は、乳幼児が装着したよだれかけ１を、抱いた側の人間の肩にかければ、よだれや溢乳で吐き戻したものから抱いた側の人間の衣服を保護しやすくなる。
【００５５】
また、母親が乳幼児に授乳する場面を実施形態５として示す。乳幼児の中でも、特に新生児は、乳首をくわえるのに時間がかかるため、シャワーの様にあふれた母乳が、母親の衣服や新生児に大量にかかることがある。この際にも、よだれかけ１ですぐに拭くことができる。また、授乳後やミルクを飲ませた後に、乳幼児に曖気を促す際、げっぷとともに、飲んだ母乳を吐き戻す場合がある。ここでも、よだれかけ１ですぐに対応することができる。
【００５６】
また、本発明を適用したよだれかけは、乳幼児の体温調節に役立てることもできる。実施形態６として示す。気温が低い場合は、よだれかけ１が肩を覆っているため、特に就寝時の防寒着としての役割が期待できる。一方、気温が高い場合は、よだれかけ１本体の一部を水で濡らして用いる。吸水力に優れるため、たっぷりと水分を吸収し、速乾性があるため、水分が蒸発するときの気化熱により乳幼児を涼しくさせることができる。
【００５７】
また、本発明を適用したよだれかけ１の一例で、本体２がガーゼ部１２とガーゼ部に内包された脱脂綿部１３とを有するものがあるが、実施形態７として示す。この構造には、吸水性や速乾性に優れる点以外にも利点が存在する。
【００５８】
まず、ガーゼ部１２は表面にパイルがなく平坦なため、洗濯時に汚れが落ちやすい性質がある。よだれや溢乳で吐き戻したもの、嘔吐物、食べこぼしなど頻繁に想定される汚れに対して、洗濯するだけで清潔に使用することができる。
なお、素材としてタオル地を採用した場合には、吸水性は高いものの、パイルに固まった母乳や嘔吐物がこびり付いてしまい、汚れを落とすことが極めて困難になってしまう点を念のために付言する。
【００５９】
また、洗濯するほど柔らかくなっていく性質がある。よって、繰り返しの使用に適した構造といえる。さらには、通気性が高いため、仮に、よだれかけ１が乳幼児の顔を覆ってしまった場合にも、乳幼児は窒息することはなく、安全性にも優れるといえる。そのため、就寝時には取り外される一般的なよだれかけと異なり、装着したままの状態で乳幼児を眠らせることができる。寝ているときに溢乳で吐き戻したものが衣服に付着すると、乳幼児を着替えさせるのに手間がかかる。しかし、本発明を適用したよだれかけ１であれば、乳幼児を起こすことなく、よだれかけの交換が容易にできる。
【００６０】
以上のように、本発明を適用したよだれかけは、切れ目が形成された略ドーナツ型の形状を有することによって、よだれかけの本体が、使用者の首を中心に体の全方位を覆うことになり、よだれや溢乳で吐き戻したものから衣服を保護する。また、内周と外周の間が所定の長さ以上に構成された本体を備えることによって、首回りの部分だけでなく、胸や背中の部分まで充分に覆われることになる。
【００６１】
また、本体の切れ目を挟んで対向する両側に配置される結合部材を備えることによって、切れ目側の端部を繋ぎ合わせることが可能となり、使用者の全方位を隙間なく本体が覆うことができる。
【００６２】
さらに、本体の切れ目を挟んで対向する両側に配置されると共に、両側のうち少なくとも一方に、本体の外周側に複数設けられた結合部材を備えることによって、本体の外周の径の長さが変更可能となり、使用者の姿勢に応じてよだれかけの形状を変えることができる。
【００６３】
また、本体の切れ目を挟んで対向する両側の内周近傍に配置された第１の雌雄型ホック部と、前記本体の切れ目を挟んで対向する両側の外周近傍に配置されると共に、同本体の外周側に複数設けられた第２の雌雄型ホック部とを有する場合には、内周と外周の両方で本体を固定することができる。また、本体の外周の径の長さが変更可能となり、使用者の姿勢に応じてよだれかけの形状を変えることができる。
【００６４】
また、前記本体の切れ目側と逆側面における内周と外周の間の幅が、同本体の切れ目側における内周と外周の間の幅よりも長い場合には、切れ目を後方にして装着したとき、使用者の前方のよだれや溢乳で吐き戻したものがかかりやすい部分を幅広く覆うことができる。
【００６５】
さらに、本体がガーゼ部とガーゼ部に内包された脱脂綿部とを有する場合には、よだれかけ本体の吸水性と速乾性に優れ、汚れを吸収しやすくなる。
【００６６】
このように、本発明を適用したよだれかけは、よだれや溢乳で吐き戻したものなどの汚れから、使用者の体や衣服はもちろんのこと、母親や介護者の体や衣服も充分に保護することができる。
【符号の説明】
【００６７】
１    よだれかけ
２    本体
３    本体の切れ目側における内周と外周の間
４    外周の雌型ホック
５    外周の第１の雄型ホック
６    外周の第２の雄型ホック
７    外周の第３の雄型ホック
８    内周の雌型ホック
９    内周の雄型ホック
１０    本体の切れ目側と逆側面における内周と外周の間
１１    外縁
１２    ガーゼ部
１３    脱脂綿部
１４    溢乳で吐き戻したもの
１５    切れ目
Ｌ１    雌型ホック４，８の間の距離
Ｌ２    雄型ホック５，９の間の距離
Ｌ３    雌型ホック６，９の間の距離
Ｌ４    雌型ホック７，９の間の距離
【図１】
0006030854.tif 000002
【図２】
0006030854.tif 000003
【図３】
0006030854.tif 000004
【図４】
0006030854.tif 000005
【図５】
0006030854.tif 000006
【図６】
0006030854.tif 000007
【図７】
0006030854.tif 000008